(57)【要約】      （修正有）【課題】運転者がいずれの車両に乗車するかにかかわらず、出庫する際のなりすましを抑止し、正しい運転者を認証する車載器及び運行管理システムを提供する。【解決手段】デジタルタコグラフ１０は、ウェアラブル端末から、乗務員コードを取得し、取得した乗務員コードが、乗務員情報ＤＢ５５に予め登録されている乗務員コードのいずれかと一致するかを判断する。デジタルタコグラフ１０は、カメラ２３Ｂで撮影した顔画像と一致する乗務員を顔認証用データＤＢ５８から検索し、取得した乗務員コードの乗務員と、検索した乗務員とが一致するかを判断する。デジタルタコグラフ１０は、一致する場合はこの乗務員について出庫処理を行い、一致しない場合は警報を発する。【選択図】図１
2020190993.tif 000002
【特許請求の範囲】
【請求項１】
車両に搭載され、前記車両の運行情報を収集する車載器であって、
前記車両の運転者に所持される、乗務員を特定する識別情報を記憶するＩＤ記憶媒体から、前記識別情報を取得する取得部と、
取得した前記識別情報が、第一データベースに予め登録されている乗務員を特定する識別情報のいずれかと一致するか否かを判断する第一認証部と、
前記運転者の生体情報を抽出する第一抽出部と、
第二データベースに予め登録されている乗務員の生体情報から、前記第一抽出部が抽出した前記生体情報と一致する乗務員を検索する第一検索部と、
前記第一認証部で識別情報が一致すると判断された乗務員と、前記第一検索部が検索した乗務員とが、一致するか否かを判断する第二認証部と、
前記第二認証部で一致すると判断された乗務員について出庫処理を行う出庫処理部と、
前記第二認証部が一致しないと判断した場合、警報信号を生成する警報部と、を備える
ことを特徴とする車載器。
【請求項２】
出庫処理が行われた後に前記車両を運転している運転者の生体情報を抽出する第二抽出部と、
前記出庫処理部による出庫処理対象の乗務員と、前記第二抽出部で生体情報が抽出された運転者とが、一致するか否かを判断する第三認証部と、を備え、
前記警報部は、前記第三認証部が一致しないと判断した場合、警報信号を生成する
ことを特徴とする請求項１に記載の車載器。
【請求項３】
前記第一抽出部は、前記運転者の身体の一部を撮影した画像から、認識用データを前記生体情報として抽出する
ことを特徴とする請求項１又は２に記載の車載器。
【請求項４】
前記第一抽出部は、前記運転者の顔を撮影した画像から顔認識用データを前記生体情報として抽出し、
前記第一検索部は、前記第二データベースに予め登録されている乗務員の顔認識用データから、前記第一抽出部が抽出した前記顔認識用データと一致する乗務員を検索する
ことを特徴とする請求項３に記載の車載器。
【請求項５】
アルコールチェックを行っている運転者の顔を撮影した画像から、顔認識用データを前記生体情報として抽出する第三抽出部と、
前記第二データベースに予め登録されている乗務員の顔認識用データから、前記第三抽出部が抽出した前記顔認識用データと一致する乗務員を検索する第二検索部と、
前記第一認証部で一致すると判断された乗務員と、前記第二検索部が検索した乗務員とが、一致するか否かを判断する第四認証部と、を備える
ことを特徴とする請求項４に記載の車載器。
【請求項６】
請求項１〜５のいずれか一項に記載の車載器と、
前記車載器と通信可能であり、前記車両の運行管理を行う管理装置と、
前記第一及び第二データベースと、を備える運行管理システムであって、
前記車載器は、前記警報信号を前記管理装置に送信し、
前記管理装置は、受信した前記警報信号を前記運行情報とともに記録する
ことを特徴とする運行管理システム。
【発明の詳細な説明】
【技術分野】
【０００１】
本発明は、車載器及び運行管理システムに関する。
【背景技術】
【０００２】
乗務員が車両を運転する際、デジタルタコグラフによって、出入庫時刻、速度、走行距離等の運行情報が記録され、事業者用のコンピュータ端末（事務所ＰＣ）にて車両の運行状況が管理されている（例えば、特許文献１参照。）。デジタルタコグラフの出庫処理の際、乗務員は、各自に割り当てられた乗務員コードをボタン操作により入力するか、表示された複数の乗務員コードのいずれかを選択することにより入力する。デジタルタコグラフは、乗務員コードの入力を受け付けて乗務員を認識し、この乗務員について運行管理を開始する。
【先行技術文献】
【特許文献】
【０００３】
【特許文献１】特開２００５−１１５６２５号公報
【特許文献２】特開２０１８−２７８号公報
【特許文献３】特開２０１０−１９１８００号公報
【発明の概要】
【発明が解決しようとする課題】
【０００４】
乗務員コードは個々に異なるが、乗務員コードを入力等する際、入力間違いやなりすましのリスクがある。
この対策として、例えば、乗務員が身に着けるウェアラブル端末に乗務員コードを記憶させ、デジタルタコグラフ側で、ウェアラブル端末から乗務員コードを読み取ることが考えられる。ウェアラブル端末を従業員の本人確認に利用する技術として、例えば、特許文献２がある。特許文献２に記載された健康状態管理システムにおいては、従業員が所持する移動体通信端末が、従業員のＩＣカード社員証から読みだした従業員番号と、従業員が身に着けたウェアラブル端末が測定した体温データとを、安否確認システムに送信する。そして、安否確認システムにて、受信した従業員番号と従業員ＤＢとが照合されて、本人確認が行われ、体温データが記録される。しかし、特許文献２においては、ＩＣカード社員証等を本人以外の第三者が取得して、本人になりすました場合であっても、本人と確認されてしまう。
【０００５】
一方、運転手のなりすましを防止するための技術として、例えば、特許文献３がある。特許文献３の保安管理システムは、車両の登録番号とその正規運転手の顔画像情報とを記憶したデータベースを備え、ゲートに設けたカメラでトラックのナンバープレートと運転手を撮像する。そして、保安管理システムは、撮像画像から読みだされたトラックの登録番号に基づいてデータベースから正規運転手の顔画像情報を読み出し、撮像画像から抽出された運転手の顔画像情報と照合する。しかし、特許文献３においては、車両の登録番号と運転手とを紐づけておく必要がある。
【０００６】
本発明は、上述した事情に鑑みてなされたものであり、その目的は、運転者がいずれの車両に乗車するかにかかわらず、出庫する際のなりすましを抑止し、正しい運転者を認証することにある。
【課題を解決するための手段】
【０００７】
前述した目的を達成するために、本発明に係る車載器及び運行管理システムは、下記（１）〜（６）を特徴としている。
（１）  車両に搭載され、前記車両の運行情報を収集する車載器であって、
前記車両の運転者に所持される、乗務員を特定する識別情報を記憶するＩＤ記憶媒体から、前記識別情報を取得する取得部と、
取得した前記識別情報が、第一データベースに予め登録されている乗務員を特定する識別情報のいずれかと一致するか否かを判断する第一認証部と、
前記運転者の生体情報を抽出する第一抽出部と、
第二データベースに予め登録されている乗務員の生体情報から、前記第一抽出部が抽出した前記生体情報と一致する乗務員を検索する第一検索部と、
前記第一認証部で識別情報が一致すると判断された乗務員と、前記第一検索部が検索した乗務員とが、一致するか否かを判断する第二認証部と、
前記第二認証部で一致すると判断された乗務員について出庫処理を行う出庫処理部と、
前記第二認証部が一致しないと判断した場合、警報信号を生成する警報部と、を備える
ことを特徴とする車載器。
（２）  出庫処理が行われた後に前記車両を運転している運転者の生体情報を抽出する第二抽出部と、
前記出庫処理部による出庫処理対象の乗務員と、前記第二抽出部で生体情報が抽出された運転者とが、一致するか否かを判断する第三認証部と、を備え、
前記警報部は、前記第三認証部が一致しないと判断した場合、警報信号を生成する
ことを特徴とする上記（１）に記載の車載器。
（３）  前記第一抽出部は、前記運転者の身体の一部を撮影した画像から、認識用データを前記生体情報として抽出する
ことを特徴とする上記（１）又は（２）に記載の車載器。
（４）  前記第一抽出部は、前記運転者の顔を撮影した画像から顔認識用データを前記生体情報として抽出し、
前記第一検索部は、前記第二データベースに予め登録されている乗務員の顔認識用データから、前記第一抽出部が抽出した前記顔認識用データと一致する乗務員を検索する
ことを特徴とする上記（３）に記載の車載器。
（５）  アルコールチェックを行っている運転者の顔を撮影した画像から、顔認識用データを前記生体情報として抽出する第三抽出部と、
前記第二データベースに予め登録されている乗務員の顔認識用データから、前記第三抽出部が抽出した前記顔認識用データと一致する乗務員を検索する第二検索部と、
前記第一認証部で一致すると判断された乗務員と、前記第二検索部が検索した乗務員とが、一致するか否かを判断する第四認証部と、を備える
ことを特徴とする上記（４）に記載の車載器。
（６）  上記（１）〜（５）のいずれか一に記載の車載器と、
前記車載器と通信可能であり、前記車両の運行管理を行う管理装置と、
前記第一及び第二データベースと、を備える運行管理システムであって、
前記車載器は、前記警報信号を前記管理装置に送信し、
前記管理装置は、受信した前記警報信号を前記運行情報とともに記録する
ことを特徴とする運行管理システム。
【０００８】
上記（１）の構成の車載器によれば、出庫処理の際、識別情報認証及び生体認証の二段階で認証を行うことにより、なりすましを抑止して、運転者が正しい乗務員であることを認証できる。また、運転者（出庫処理をしようとする人物）が二段階認証された正しい乗務員の場合に出庫処理（運行管理の開始処理）がされるため、乗務員と車両とを予め対応付けることなく、乗務員について適切な運行管理が可能となる。また、データベースに予め登録されている乗務員の中から、運転者の生体情報と一致する人物を検索することで、なりすましを行おうとした人物を特定でき、かつ、その人物が会社の人間等の登録されている人物か否かを判定できる。また、警報信号に基づいて車載器から警報を発することにより、なりすましが発覚したことを運転者に気付かせることができる。さらに、生成した警報信号を事務所ＰＣに送って保存することにより、なりすましの発生を運行管理者に通知できる。
【０００９】
上記（２）の構成の車載器によれば、運転中に認証を行うことにより、出庫後に運転者がすり替わり、認証された乗務員とは別の人物が運転することを抑止できる。
【００１０】
上記（３）の構成の車載器によれば、撮像機能及び画像認識機能を備えた簡易な構成で、生体認証が可能となる。
【００１１】
上記（４）の構成の車載器によれば、生体認証のための特別な操作を行うことなく顔認証されるため、認証に関する利用者の負担感を低減できる。
【００１２】
上記（５）の構成の車載器によれば、認証された乗務員とアルコールチェックを行っている乗務員とが一致するか否かを判断することにより、例えば認証された乗務員が飲酒していた場合に、アルコールチェックを別人に行わせて通過する、といった不正を抑止できる。
【００１３】
上記（６）の構成の運行管理システムによれば、上記（１）〜（５）の構成による効果に加え、認証された正しい乗務員で出庫処理がなされるため、正しい乗務員について適切な運行管理ができるという効果を奏する。また、なりすまし等の場合に車載器から送信された警報信号が運行情報とともに記録される。このため、なりすまし等発生の有無を乗務員の運転評価に反映させたり、なりすましを依頼した側と依頼された側の双方に対する指導に用いたりして、なりすまし等の不正防止を図ることができる。
【発明の効果】
【００１４】
本発明によれば、運転者がいずれの車両に乗車するかにかかわらず、出庫する際のなりすましを抑止し、正しい運転者を認証できる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】図１は、本実施形態の運行管理システムの構成を示す図である。
【図２】図２は、本実施形態の二段階認証処理を示すフローチャートである。
【図３】図３は、本実施形態の二段階認証処理を説明するための図である。
【図４】図４は、本実施形態のアルコールチェック時の認証処理を示すフローチャートである。
【図５】図５は、本実施形態の運行中の認証処理を示すフローチャートである。
【発明を実施するための形態】
【００１７】
本発明に関する具体的な実施形態について、各図を参照しながら以下に説明する。
図１は、本実施形態の運行管理システム５の構成を示す図である。運行管理システム５は、ネットワーク７０を介して接続される、車載器である運行記録装置（以下、デジタルタコグラフという）１０と事務所ＰＣ３０とを備え、車両の運行状況を管理する。なお、事務所ＰＣは、車載器で計測された運行記録データを記録したメモリカードを読み込む構成としてもよい。また、車載器はドライブレコーダ等であってもよい。
【００１８】
事務所ＰＣ３０は、事務所に設置された汎用のコンピュータ装置で構成され、車両の運行状況を管理する。ネットワーク７０は、デジタルタコグラフ１０と広域通信を行う無線基地局８や事務所ＰＣ３０が接続されるインターネット等のパケット通信網であり、デジタルタコグラフ１０と事務所ＰＣ３０と間で行われるデータ通信を中継する。デジタルタコグラフ１０と無線基地局８との間の通信は、ＬＴＥ（Long Term Evolution）／４Ｇ（(4th Generation）等のモバイル通信網（携帯回線網）で行われてもよいし、無線ＬＡＮ（Local Area Network）で行われてもよい。
【００１９】
デジタルタコグラフ１０は、車両に搭載され、車両の運転者について出庫処理を行い、出入庫時刻、走行距離、走行時間、走行速度、速度オーバー、エンジン回転数オーバー、急発進、急加速、急減速等の運行データを記録する。デジタルタコグラフ１０は、ＣＰＵ１１（取得部、第一〜第三認証部、第一〜第三抽出部、第一〜第二検索部、警報部）、不揮発メモリ２６Ａ、揮発メモリ２６Ｂ、記録部１７、カードＩ／Ｆ１８、音声Ｉ／Ｆ１９、ＲＴＣ（時計ＩＣ）２１、ＳＷ入力部２２、表示部２７、アルコール検査器６０及びリーダ６１を有する。
【００２０】
ＣＰＵ１１は、デジタルタコグラフ１０の各部を統括的に制御する。不揮発メモリ２６Ａは、ＣＰＵ１１によって実行される動作プログラム等を格納する。揮発性メモリ２６Ｂは、ＣＰＵ１１のアクセスにより、データの読み出しおよび書き込みが自在な半導体メモリデバイスである。揮発性メモリ２６Ｂは、ＣＰＵ１１が扱う様々なデータを一時的に保持するために利用される。
【００２１】
記録部１７は、運行データや映像等のデータを記録する。カードＩ／Ｆ１８には、運転者が所持するメモリカード６５が挿抜自在に接続される。ＣＰＵ１１は、カードＩ／Ｆ１８に接続されたメモリカード６５に対し、記録部１７が記録した運行情報（運行データ、映像等のデータを含む）及び警告イベントを書き込む。音声Ｉ／Ｆ１９には、内蔵スピーカ２０が接続される。内蔵スピーカ２０は、ＣＰＵ１１が生成した警報信号に基づいて警報等の音声を発する。
【００２２】
ＲＴＣ２１（計時部）は、現在時刻を計時する。ＳＷ入力部２２には、出庫処理を開始するための出庫ボタンや、入庫ボタン等の各種ボタンのＯＮ／ＯＦＦ信号が入力される。表示部２７は、ＬＣＤ（liquid crystal display）で構成され、通信や動作の状態の他、警報等を表示する。
【００２３】
アルコール検査器６０は、呼気から飲酒の有無を検知するものであり、乗務員がセンサ部に息を吹き付けることで、アルコール濃度を計測し、アルコール濃度が閾値（例えば０．１５ｍｇ／Ｌ）以上であるか否かを検査する。すなわち、アルコール検査器６０により、出庫処理時（運行開始前）や運行中にアルコールチェックを行う。リーダ６１は、乗務員を一意に特定する乗務員コード（識別情報）を記憶する、ウェアラブル端末、ＩＣ（Integrated Circuit）カード、免許証といったＩＤ記憶媒体から乗務員コードを取得する。リーダ６１は、ＲＦＩＤ（Radio Frequency IDentifier）タグ等のデバイスから乗務員コードを取得してもよい。また、ウェアラブル端末は、乗務員が腕や頭部など、身体に装着して利用する端末であり、リストバンド型又は腕時計型のデバイスが好適であるが、眼鏡型や指輪型等であってもよい。なお、アルコール検査器６０及びリーダ６１は、デジタルタコグラフ１０に着脱自在に搭載される可搬型のものであってもよい。
【００２４】
また、デジタルタコグラフ１０は、速度Ｉ／Ｆ１２Ａ、エンジン回転Ｉ／Ｆ１２Ｂ、外部入力Ｉ／Ｆ１３、センサ入力Ｉ／Ｆ１４、アナログ入力Ｉ／Ｆ２９、ＧＰＳ受信部１５、カメラＩ／Ｆ１６、通信部２４及び電源部２５を有する。
【００２５】
速度Ｉ／Ｆ１２Ａには、車両の速度を検出する車速センサ５１が接続され、車速センサ５１からの速度パルスが入力される。車速センサ５１は、デジタルタコグラフ１０にオプションとして設けられてもよいし、デジタルタコグラフ１０とは別の装置として設けられてもよい。エンジン回転Ｉ／Ｆ１２Ｂには、エンジン回転数センサ（図示せず）からの回転パルスが入力される。外部入力Ｉ／Ｆ１３には、外部機器（図示せず）が接続され、イグニッションスイッチのＯＮ／ＯＦＦを示すＩＧＮ（イグニッション）信号や、左側又は右側の方向指示器（ウインカー）のＯＮ／ＯＦＦを示すウインカー信号が入力される。また、外部入力Ｉ／Ｆ１３には、可搬型のアルコール検査器やリーダを接続してもよい。
【００２６】
センサ入力Ｉ／Ｆ１４には、進行方向と直角に発生する横加速度（横Ｇ）を含む加速度（Ｇ値）を検知する（衝撃を感知する）加速度センサ（Ｇセンサ）２８が接続され、Ｇセンサ２８からの信号が入力される。Ｇセンサ２８は、自車両の左右方向（車幅方向）に加わる加速度の大きさ（横Ｇ）を検出することができる。アナログ入力Ｉ／Ｆ２９には、エンジン温度（冷却水温）を検知する温度センサ（図示せず）、燃料量を検知する燃料量センサ（図示せず）等の信号が入力される。ＣＰＵ１１は、これらのＩ／Ｆを介して入力される情報を基に、各種の運転状態を検出する。
【００２７】
ＧＰＳ受信部１５は、ＧＰＳアンテナ１５ａに接続され、ＧＰＳ衛星から送信される信号を受信し、現在位置情報（ＧＰＳ情報）を取得する。
【００２８】
カメラＩ／Ｆ１６には、カメラ２３Ａ及びカメラ２３Ｂが接続される。カメラ２３Ａは、車両に設置され、車両の周辺（車外）を撮像して画像データを取得する。カメラ２３Ｂは、車内のメータ前等に設置され、運転者の顔を含む車室内を撮影して画像データ（画像）を取得する車内撮影用カメラである。カメラ２３Ｂが取得した画像データは、乗務員が出庫処理を行う際や運転中の顔認証にも用いられる。カメラ２３Ａ及び２３Ｂは、例えば３０万画素、１００万画素、２００万画素が撮像面に配置されたイメージセンサを少なくとも１つ有し、ステレオ画像等の画像を撮像可能である。イメージセンサは、ＣＭＯＳ（相補性金属酸化膜半導体）センサで構成されてもよいし、ＣＣＤ（電荷結合素子）センサで構成されてもよい。なお、カメラＩ／Ｆ１６には、車両の側方及び後方の画像を撮影するカメラが接続されてもよい。カメラ２３Ａ，２３Ｂで撮像された映像は、記録部１７にそれぞれ時系列に記録される。なお、カメラは、可視光を撮像する以外に、夜間でも撮像可能なように、赤外線カメラを備えてもよい。
【００２９】
通信部２４は、広域通信を行い、携帯回線網（モバイル通信網）を介して無線基地局８に接続されると、無線基地局８と繋がるインターネット等のネットワーク７０を介して、事務所ＰＣ３０と通信を行う。電源部２５は、イグニッションスイッチのオン等によりデジタルタコグラフ１０の各部に電力を供給する。
【００３０】
ＣＰＵ１１は、デジタルタコグラフ１０の出庫処理の際、従来のボタンによる乗務員コードの入力に代えて、後述のように乗務員の二段階認証を行う。二段階認証は、ウェアラブル端末やＩＣカードから取得した乗務員コード（識別情報）による認証及び車内撮影用のカメラ２３Ｂの出力画像に対する画像認識（顔認識）による認証を含む。また、ＣＰＵ１１は、二段階認証後において、車内で運転者がアルコールチェックを行っている際にも、顔認証を行う。さらに、ＣＰＵ１１は、出庫後（運行中）は定期的に運転者の顔認証を実施して、運転中のなりすましをチェックする。
【００３１】
一方、事務所ＰＣ３０は、汎用のオペレーティングシステムで動作するＰＣである。事務所ＰＣ３０は、ＣＰＵ３１、通信部３２、表示部３３、記憶部３４、カードＩ／Ｆ３５、操作部３６、出力部３７、音声Ｉ／Ｆ３８、機器Ｉ／Ｆ４７、及び外部Ｉ／Ｆ４８を有する。
【００３２】
ＣＰＵ３１は、事務所ＰＣ３０の各部を統括的に制御する。通信部３２は、ネットワーク７０を介してデジタルタコグラフ１０と通信可能である。また、通信部３２は、ネットワーク７０に接続された各種のデータベース（図示せず）とも接続可能であり、必要なデータを取得可能である。
【００３３】
表示部３３は、運行状況を示す画面等を表示する。記憶部３４は、デジタルタコグラフ１０で計測されたデータを基に、運行状況を管理するためのプログラム等を格納する。
【００３４】
カードＩ／Ｆ３５には、メモリカード６５が挿抜自在に装着される。カードＩ／Ｆ３５は、デジタルタコグラフ１０によって計測され、メモリカード６５に記憶された運行情報を入力する。操作部３６は、キーボードやマウス等を有し、事務所ＰＣ３０の管理者の操作を受け付ける。出力部３７は、各種データを出力する。音声Ｉ／Ｆ３８には、マイク４１及びスピーカ４２が接続される。管理者は、マイク４１及びスピーカ４２を用いて音声通話を行うことも可能である。機器Ｉ／Ｆ４７には、アルコール検査器５２や出退勤管理装置（図示せず）が接続される。アルコール検査器５２は、デジタルタコグラフ１０に搭載されたアルコール検査器６０と異なり、事務所ＰＣ３０の傍に設置される据え置き型のものである。アルコール検査器５２は、乗務員が出勤時にセンサ部に息を吹き付けることで、呼気のアルコール濃度を計測し、アルコール濃度が閾値（例えば０．１５ｍｇ／Ｌ）以上であるか否かを検査する。なお、アルコール検査（アルコールチェック）は、事務所に設置されたアルコール検査器５２、及び車両に搭載されたアルコール検査器６０のいずれによっても行われる。したがって、運行の前後及び運行中にも、アルコール検査が可能であり、酒気帯び運転等の判定が行われる。
【００３５】
外部Ｉ／Ｆ４８には、外部記憶装置（ストレージメモリ）５４が接続される。外部記憶装置５４は、乗務員情報データベース（ＤＢ）５５、運行データＤＢ５６、アルコール検査結果ＤＢ５７、及び顔認証用データＤＢ５８を保持する。乗務員情報ＤＢ５５には、乗務員毎に、乗務員コード（ＩＤ）、氏名、性別、年齢、身長、体重、勤続年数、家族構成、病歴等の情報が記録される。また、乗務員情報ＤＢ５５には、免停中である、薬物使用の有無等の情報も記録される。アルコール検査結果ＤＢ５７には、乗務員毎に、アルコール検査器６０，５２で検査された結果が記録される。運行データＤＢ５６には、乗務員毎に、デジタルタコグラフ１０によって計測された１日毎の運行データが記録される。運行データとして、出入庫時刻、速度、走行距離等の他、急加減速、急ハンドル、速度オーバー、エンジン回転数オーバー、警告信号等の情報を含む。
【００３６】
アルコール検査結果ＤＢ５７には、乗務員毎に、アルコール検査結果のデータが登録される。アルコール検査結果のデータは、例えばテーブルとして表示部３３に表示される。このテーブルには、アルコール検査器６０，５２でアルコール濃度を測定した結果、アルコール濃度が０．１５ｍｇ／Ｌ（酒気帯び運転に相当）以上であった場合のデータの一覧が登録されている。アルコール濃度検査の結果は、合格（ＯＫ）及び不合格（ＮＧ）のいずれであっても、テーブルに登録される。このテーブルの各レコードは、乗務員名，測定場所（事務所、運行中等），測定日，測定時刻，測定結果及び測定量のデータを含む。測定場所が運行中の場合は、乗務員が車室内で検査した結果が示されており、車両の走行中に加え、出庫処理時（運行開始前）の結果が示される。また、このテーブルには、アルコール検査結果が不合格であった場合のデータ及び合格であった場合のデータが登録されるが、乗務員の数が多いと、データ登録数が増大するので、その場合、不合格のデータだけを登録することも可能である。運行管理者は、このテーブルの一覧を見ることで、全乗務員の運行前後のアルコール測定結果を確認することができる。
【００３７】
顔認証用データＤＢ５８には、乗務員毎に、顔画像の認識・照合に用いられる顔認証用データが登録される。顔認証用データとして、例えば、顔正面画像、顔側面画像等が含まれる。
【００３８】
ここで、上記各種のデータベースの記録内容は、乗務員コードで紐付けされている。したがって、運行管理者が乗務員コードを事務所ＰＣ３０に対し入力すると、事務所ＰＣ３０は、乗務員コードに紐づけられた上記各種のデータベースの記録内容を取得可能である。
【００３９】
次に、図２及び図３を参照して、上記構成を有する運行管理システム５においてデジタルタコグラフ１０の出庫処理を行う際の、乗務員認証処理について説明する。図２は、本実施形態の二段階認証処理を示すフローチャートであり、図３は、本実施形態の二段階認証処理を説明するための図である。以下に説明する処理は、ＣＰＵ１１の指示に従ってデジタルタコグラフ１０の各部が動作することにより実行される。
【００４０】
図２に示すように、デジタルタコグラフ１０の電源が入ると、リーダ６１は読取状態となり（ステップＳ１）、ウェアラブル端末又はＩＣカードがタッチ（近接）されるまで待つ。ウェアラブル端末又はＩＣカードがタッチされると（ステップＳ２）、リーダ６１は、タッチされたウェアラブル端末又はＩＣカードから識別番号（乗務員コード）を取得する（ステップＳ３）。次に、ＣＰＵ１１は、取得した乗務員コードと、乗務員情報ＤＢ５５（乗務員マスタ）内に登録されている乗務員コードとを比較する（ステップＳ４）。そしてＣＰＵ１１は、取得した乗務員コードと、乗務員情報ＤＢ５５内のいずれかの乗務員コードとが一致するか否かを判断する（ステップＳ５：認証１）。いずれの乗務員コードとも一致しない場合、ＣＰＵ１１は、乗務員が登録されていない場合の未登録者出庫処理を行って（ステップＳ６）、乗務員認証処理（二段階認証処理）を終了する。
【００４１】
一方、いずれかの乗務員コードと一致した場合、ＣＰＵ１１は、カメラ２３Ｂから車内を撮影した映像を取得し（ステップＳ７）、この映像について顔認識処理を行う（ステップＳ８）。そしてＣＰＵ１１は、ネットワーク７０を経由して、顔認証用データＤＢ５８に登録されている乗務員の顔認識用データを検索して、カメラ２３Ｂが撮影した映像内の乗務員と顔データが一致する乗務員を特定する（ステップＳ９）。次にＣＰＵ１１は、ステップＳ５の処理（認証１）で一致すると判断された乗務員と、ステップＳ９の処理で特定した乗務員とが一致するか否かを判断する（ステップＳ１０：認証２）。一致しない場合、ＣＰＵ１１は乗務員が不一致である旨を示す警告信号を生成し、スピーカ２０から警報を発する（ステップＳ１１）。警報を発した後、ＣＰＵ１１は、車両が走行を開始するかを監視し（ステップＳ１２）、走行が開始された場合には、なりすまし運転である旨を示す警報信号を生成し、通信部２４を介して事務所ＰＣ３０へなりすまし運転警報を送信する（ステップＳ１３）。さらに、ＣＰＵ１１は、車両に対して、動作停止を指示する動作停止信号を出力して（ステップＳ１４）、本処理を終了する。ステップＳ１２において、一定時間内に車両が走行を開始しない場合にはステップＳ１の処理に戻る。また、ステップＳ１０（認証２）において、認証が成立した場合、すなわちウェアラブル端末等から取得した乗務員コードが示す乗務員と、車内映像に含まれる顔画像の検索結果が示す乗務員とが一致した場合の処理は、図４を参照して後述する。
【００４２】
図３を参照して、ウェアラブル端末Ｗを身に着けた運転者Ｘの二段階認証処理の例を示す。デジタルタコグラフ１０の出庫ボタンが押下されると出庫処理が開始される（図３（ａ））。運転者Ｘが、乗務員Ａのものであるウェアラブル端末Ｗをリーダ６１に近接させ、車内撮影用のカメラ２３Ｂによって運転者Ｘの顔を含む画像が撮影される（図３（ｂ））。このとき、デジタルタコグラフ１０は、ウェアラブル端末Ｗから乗務員Ａの乗務員コードを取得し、撮影した映像データに対して顔認識を行う。デジタルタコグラフ１０は、映像データの特徴点と一致する乗務員を顔認証用ＤＢ５８から検索する（図３（ｃ））。検索された乗務員が乗務員Ａと一致すれば、運転者Ｘが乗務員Ａであると認証されて、正しい乗務員Ａで出庫処理がなされ（図３（ｄ））、乗務員Ａについての運行管理が適切に行われる。一方、検索された乗務員の顔が乗務員Ｂと一致し、取得した乗務員コードが示す乗務員Ａと一致しない場合、運転者Ｘは乗務員Ｂであり、乗務員Ａになりすましている可能性がある（図３（ｅ））。この場合、運転者Ｘの認証は成立せず、デジタルタコグラフ１０は、警報を鳴動させ、そのまま車両が走行した場合には事務所へ警報が送信され（図３（ｆ））、事務所ＰＣ３０において、なりすまし警報信号が保存される。これにより、運行管理者がなりすましの可能性を把握できる。また、デジタルタコグラフ１０は、車体へ動きを停止する制御信号を発することができる。
【００４３】
図４を参照して、図２の二段階認証処理後のデジタルタコグラフ１０の動作例を説明する。図４は、本実施形態のアルコールチェック時の認証処理を示すフローチャートである。図２のステップＳ１０（認証２）で、認証が成立した場合、ＣＰＵ１１は、アルコールチェックを実施するとの設定がされているか否かを判断する（ステップＳ２１）。アルコールチェックを実施する場合、乗務員はアルコール検査器６０のセンサ部に息を吹き付ける。この様子は車内撮影用のカメラ２３Ｂに撮影され、アルコールチェック中の乗務員の顔を含む映像（車内映像）がＣＰＵ１１に入力される。ＣＰＵ１１は、カメラ２３Ｂから入力された車内映像に対して顔認識を行い、乗務員の顔認証を開始する（ステップＳ２２）。ＣＰＵ１１は、ステップＳ１０（認証２）で認証された乗務員と、アルコールチェックを行った乗務員とが、一致するか否かを判断する（ステップＳ２３）。一致しない場合、ＣＰＵ１１は乗務員が不一致である旨を示す警告信号を生成し、スピーカ２０から警報を発する（ステップＳ２４）。また、ＣＰＵ１１は、なりすまし運転である旨を示す警報信号を生成し、通信部２４を介して事務所ＰＣ３０へなりすまし運転警報を送信する（ステップＳ２５）。ステップＳ２５の処理後及びステップＳ２１でアルコールチェックを実施しない場合、ＣＰＵ１１は、出庫処理を完了し、ステップＳ１０で認証された乗務員のレコードとして、運行情報の収集・記録を開始する（ステップＳ２６：出庫）。尚、ステップＳ２３で不一致の場合には、デジタルタコグラフ１０はアルコールチェックを行った乗務員で出庫処理してもよい。また、ステップＳ２２からＳ２５の処理を、運転中に定期的に行ってもよい。
【００４４】
次に、図５を参照して、出庫後のデジタルタコグラフ１０の動作例を説明する。ＣＰＵ１１は、運行中のなりすましチェックの設定がされているか否かを判断する（ステップＳ３１）。設定ありの場合、ＣＰＵ１１は、出庫中か否かを判断する（ステップＳ３２）。出庫中の場合、ＣＰＵ１１は、車内を撮影するカメラ２３Ｂから一定時間ごとに車内映像を取得して顔認証を開始する（ステップＳ３３）。そしてＣＰＵ１１は、運転している乗務員、すなわち車内映像に含まれる乗務員と、デジタルタコグラフ１０で記録を行っている乗務員とが一致するか否かを判断する（ステップＳ３４）。一致しない場合、ＣＰＵ１１は乗務員が不一致である旨を示す警告信号を生成し、スピーカ２０から警報を発する（ステップＳ３５）。また、ＣＰＵ１１は、なりすまし運転である旨を示す警報信号を生成し、通信部２４を介して事務所ＰＣ３０へなりすまし運転警報を送信する（ステップＳ３６）。一方、ステップＳ３４において、乗務員が一致する場合はステップＳ３２の処理に戻る。ステップＳ３２において、出庫中でない場合、ＣＰＵ１１は本処理を終了する。このように、デジタルタコグラフ１０は、ステップＳ３２からステップＳ３６の処理を定期的に繰り返すことで、運行中（出庫から入庫までの間）におけるなりすましを抑止できる。
【００４５】
以上説明したように、本実施形態では、出庫処理の際、乗務員コード（識別情報）による認証及び顔認証（生体認証）の二段階で認証を行う。これにより、乗務員コードの入力間違いやなりすましを防止し、正しくない乗務員の場合は警報信号が生成され、正しい乗務員の場合に出庫処理（運行管理の開始処理）ができる。このため、乗務員の運行管理を適切に行うことができる。また、乗務員情報ＤＢ５５に予め登録されている乗務員の中から、運転者（出庫処理をしようとする人物）の顔画像と一致する人物を検索することで、なりすましを行おうとした人物を特定できる。さらに、その人物が会社の人間等の登録されている人物か否かを判定することができる。
【００４６】
また、本実施形態では、二段階認証された乗務員とアルコールチェックを行っている運転者とが一致するか否かを判断する。これにより、例えば二段階認証された乗務員が飲酒していた場合にアルコールチェックを別人に行わせてアルコールチェックを通過しようとする、といった不正を抑止できる。さらに、運転中においても定期的に運転者の顔認証を行うことにより、出庫前に認証された乗務員とは別の人物にすり替わる不正を抑止できる。また、運転者の顔認証が車内撮影用のカメラ２３Ｂの出力に基づいて行われ、運転者による特別な操作が不要であるため、認証に関する負担感を低減できる。
【００４７】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。例えば、前述した実施形態において、カメラ２３Ｂの出力画像に対する顔認識を用いて認証を行ったが、顔認証以外の、指紋、声紋、光彩、網膜、静脈等の生体情報を利用した生体認証を行ってもよい。この場合、運転席のハンドルに指紋センサ等の生体情報を取得する手段を設けることにより、乗務員の負担なく生体認証を実施できる。
【００４８】
また、図４及び図５を参照して説明したアルコールチェック時の認証処理及び運行中の認証処理を、それぞれの頻度を異ならせて繰り返し実行してもよい。また、車内映像に複数の人物が確認される場合などにおいて、乗務員情報ＤＢ５５に、免停中である、又は、薬物使用の恐れあり等の情報が含まれる乗務員が車内に存在する場合には、なりすましが発生しやすい状況といえる。この場合、運転中に繰り返す認証処理の頻度を高くすることにより、なりすましが発生しやすい状況においても効果的になりすましを抑止できる。
【００４９】
ここで、上述した本発明の実施形態に係る車載器及び運行管理システムの特徴をそれぞれ以下［１］〜［６］に簡潔に纏めて列記する。
［１］  車両に搭載され、前記車両の運行情報を収集する車載器（デジタルタコグラフ１０）であって、
前記車両の運転者に所持される、乗務員を特定する識別情報を記憶するＩＤ記憶媒体（ウェアラブル端末Ｗ）から、前記識別情報を取得する取得部（リーダ６１、ＣＰＵ１１）と、
取得した前記識別情報が、第一データベース（乗務員情報ＤＢ５５）に予め登録されている乗務員を特定する識別情報のいずれかと一致するか否かを判断する第一認証部（ＣＰＵ１１）と、
前記運転者の生体情報を抽出する第一抽出部（カメラＩ／Ｆ１６、ＣＰＵ１１）と、
第二データベース（顔認証用データＤＢ５８）に予め登録されている乗務員の生体情報から、前記第一抽出部が抽出した前記生体情報と一致する乗務員を検索する第一検索部（ＣＰＵ１１）と、
前記第一認証部で識別情報が一致すると判断された乗務員と、前記第一検索部が検索した乗務員とが、一致するか否かを判断する第二認証部（ＣＰＵ１１）と、
前記第二認証部で一致すると判断された乗務員について出庫処理を行う出庫処理部（ＣＰＵ１１）と、
前記第二認証部が一致しないと判断した場合、警報信号を生成する警報部（ＣＰＵ１１）と、を備える
ことを特徴とする車載器。
［２］  出庫処理が行われた後に前記車両を運転している運転者の生体情報を抽出する第二抽出部（カメラＩ／Ｆ１６、ＣＰＵ１１）と、
前記出庫処理部による出庫処理対象の乗務員と、前記第二抽出部で生体情報が抽出された運転者とが、一致するか否かを判断する第三認証部（ＣＰＵ１１）と、を備え、
前記警報部は、前記第三認証部が一致しないと判断した場合、警報信号を生成する
ことを特徴とする上記［１］に記載の車載器。
［３］  前記第一抽出部は、前記運転者の身体の一部を撮影した画像から、認識用データを前記生体情報として抽出する
ことを特徴とする上記［１］又は［２］に記載の車載器。
［４］  前記第一抽出部は、前記運転者の顔を撮影した画像から顔認識用データを前記生体情報として抽出し、
前記第一検索部は、前記第二データベースに予め登録されている乗務員の顔認識用データから、前記第一抽出部が抽出した前記顔認識用データと一致する乗務員を検索する
ことを特徴とする上記［３］に記載の車載器。
［５］  アルコールチェックを行っている運転者の顔を撮影した画像から、顔認識用データを前記生体情報として抽出する第三抽出部（カメラＩ／Ｆ１６、ＣＰＵ１１）と、
前記第二データベースに予め登録されている乗務員の顔認識用データから、前記第三抽出部が抽出した前記顔認識用データと一致する乗務員を検索する第二検索部（ＣＰＵ１１）と、
前記第一認証部で一致すると判断された乗務員と、前記第二検索部が検索した乗務員とが、一致するか否かを判断する第四認証部（ＣＰＵ１１）と、を備える
ことを特徴とする上記［４］に記載の車載器。
［６］  上記［１］〜［５］のいずれか一に記載の車載器（デジタルタコグラフ１０）と、
前記車載器と通信可能であり、前記車両の運行管理を行う管理装置（事務所ＰＣ３０）と、
前記第一及び第二データベース（乗務員情報ＤＢ５５、顔認証用データＤＢ５８）と、を備える運行管理システム（５）であって、
前記車載器は、前記警報信号を前記管理装置に送信し、
前記管理装置は、受信した前記警報信号を前記運行情報とともに記録する
ことを特徴とする運行管理システム。
【符号の説明】
【００５０】
５  運行管理システム
１０  デジタルタコグラフ
１１  ＣＰＵ（取得部、第一〜第三認証部、第一〜第三抽出部、第一〜第二検索部、警報部）
１５  ＧＰＳ受信部
１７  記録部
２０  スピーカ
２２  ＳＷ入力部
２３Ａ，２３Ｂ  カメラ
２４  通信部
２５  電源部
２６Ａ  不揮発メモリ
２６Ｂ  揮発性メモリ
５２，６０  アルコール検査器
５４  外部記憶装置
５５  乗務員情報データベース（ＤＢ）
５８  顔認証用データＤＢ
６１  リーダ
６５  メモリカード
【図１】
2020190993.tif 000003
【図２】
2020190993.tif 000004
【図３】
2020190993.tif 000005
【図４】
2020190993.tif 000006
【図５】
2020190993.tif 000007